【事件の表示】
　特願２００６−２４６１２４「記録装置と記録装置に装着可能なインクカートリッジとの組み合わせ」拒絶査定不服審判事件〔平成１８年１１月３０日出願公開、特開２００６−３２１２５１〕について、次のとおり審決する。
【結　論】
　本件審判の請求は、成り立たない。
【理　由】
１　手続の経緯
　本願は、平成１４年８月１日に出願した特願２００２−２２５２９４号の一部を平成１８年９月１１日に新たな特許出願としたものであって、 平成２０年１２月１日及び平成２１年４月２７日に手続補正がなされ、平成２１年４月２７日付け手続補正が平成２１年７月６日付けで却下されるとともに、同日付けで拒絶査定がなされ、これに対して、同年１０月１４日に拒絶査定不服審判が請求され、当審において、平成２２年１０月５日付けで拒絶の理由（以下「当審拒絶理由」という。）が通知され、同年１２月１３日に手続補正がなされたものである。
　
２　本願発明
　本願の請求項１に係る発明（以下「本願発明」という。）は、平成２２年１２月１３日付け手続補正によって補正された特許請求の範囲、明細書及び図面の記載からみて、その特許請求の範囲の請求項１に記載された事項によって特定されるとおりの次のものである。
「記録装置と記録装置に装着可能なインクカートリッジとの組み合わせであって、
　前記記録装置は、前記インクカートリッジを着脱可能に装着するためのインクカートリッジ装着部を備え、
　前記インクカートリッジ装着部は、
　外部に水平方向に開口する開口部を有し、
　前記インクカートリッジ装着部は、さらに、前記開口部と水平方向に対向する位置に、インクカートリッジのインク供給口と接続して記録ヘッドにインクを供給する接続部を有し、
　前記インクカートリッジ装着部は、天井面を有し、前記天井面が前記開口部を規定し、
　前記インクカートリッジ装着部は、水平方向に延び前記天井面よりも、前記接続部とは反対側に延びる底面を有し、
　前記記録装置は、前記インクカートリッジ装着部を複数個前記底面に沿って幅方向に備え、
　前記インクカートリッジは、前記インクカートリッジ装着部に装着される際、前記底面に沿って、前記開口部側から前記インク供給口を前記接続部に接続させる方向に滑らせることが可能な下面を有し、
　前記インクカートリッジは、前記インク供給口を有する前面を有し、
　前記インクカートリッジは、該前面と反対側に後端部を有し、
　前記インクカートリッジは、前記下面と反対側に上面を有し、前記上面は、前記下面から離隔する方向に略球面状に湾曲した略球面状湾曲部と、前記後端部の上面をなす後部平坦部とを有し、
　前記略球面状湾曲部は前記後部平坦部よりも上方に突出しており、
　前記略球面状湾曲部は、前記上面において、前記後部平坦部よりも前記前面側に位置しており、
　前記略球面状湾曲部のうち、前記インクカートリッジの前記前面と前記後端部とを結ぶ方向における後端が、前記インクカートリッジの幅方向の中央において、前記後部平坦部と接しており、
　前記インクカートリッジは、その幅方向が前記インクカートリッジ装着部の幅方向に一致するように、前記インクカートリッジ装着部に装着され、
　前記インクカートリッジは、前記インクカートリッジが前記インクカートリッジ装着部に装着され前記インク供給口を前記接続部に接続させた際、その後端部が前記開口部から出ている底面上に位置するように構成されており、
　前記後部平坦部に、上方に突出した指掛け用のリブが形成されており、
　前記指掛け用のリブは、前記インクカートリッジの前記後部平坦部の幅方向における中央に形成されており、
　前記指掛け用のリブは、前記後部平坦部が前記略球面状湾曲部の前記後端と接する位置上に形成されており、
　前記インクカートリッジの幅方向の断面において、前記略球面状湾曲部の輪郭内に前記指掛け用のリブが収まっており、
　前記後端部は、つまみ部を構成するため前記前面の幅よりも狭い幅に形成されており、前記リブは前記後端部よりも前記前面側に位置していることを特徴とする記録装置と記録装置に装着可能なインクカートリッジとの組み合わせ。」
　
３　刊行物の記載事項
（１）当審拒絶理由で引用した「本願の出願前に頒布された刊行物である特開平４−１４１４４４号公報（以下「引用例１」という。）」には、次の事項が記載されている。（下線は審決で付した。以下同じ。）
　ア　「２．特許請求の範囲
１）
インクを吐出して記録を行う記録ヘッドに対するインク供給源をなすインクタンクの収容部
を具えた
インクジェット記録装置
　
　イ　「第１図は本発明の一実施例にかかるインクジェット記録装置の模式的外観斜視図である。第１図において、２００１は装置ケースの一部をなすメインケースであり、第２図にて後述されるインクジェット記録装置のフレームの一部に固定されこの装置の両端部分、すなわち、記録紙が搬送される搬送経路の幅に対応した部分を除いた部分を被覆する。…（略）…２００３は同様に装置ケースの一部をなす中ケースであり、…（略）…。２００５は装置ケースの一部をなし開閉自在に設けられる給紙蓋である。給紙蓋２００５は、その略矩形の形状における図中手前側の辺の両端が軸支され、これを回動軸として図中上方側へ開けられ所定の角度で保持されるように設けられる。給紙蓋２００５はこの角度で保持された状態で後述する給紙トレイとほぼ直線状となり、記録紙を載置することが可能となる。２００７は装置手前側に設けられ装置ケースの一部を構成するインク蓋である。インク蓋２００７は装置手前側の下部に設けられる軸によって回動自在に軸支され、必要に応じて蓋２００７を手前側へ開けることができる。これにより
内部に収納されるインクカートリッジの装着及び取り外しといった着脱動作を行うことが可能
　
　ウ　「第２図（Ａ）及び（Ｂ）は本発明の一実施例にかかるインクジェット記録装置を第１図に示した装置カバーを除いて示す側方断面図および上面図である。」（３頁左下欄１０〜１３行）
　
　エ　「第２図（Ａ）および（Ｂ）において、９０１ＢＫ，９０１Ｃ，９０１Ｍ，９０１Ｙは、後述のインク供給ユニット内に装着されるインクカートリッジであり、それぞれインク色が黒（ＢＫ），シアン（Ｃ），マゼンタ（Ｍ），イエロ（Ｙ）のインクを貯留するインク袋…（略）…を格納する。インクカートリッジを装着するインク供給ユニットの下部にはインク吸収体９１１が配設される。インク吸収体９１１は押圧等の外力に対し復元力を有するものであり、供給ユニットを構成するフレーム９１３の凹部と装置フレームをなす底板２０１５との間に圧縮された状態で介挿される。」（６頁右上欄１２行〜同頁左下欄４行）
　
　オ　第１図、第２図（Ａ）及び第２図（Ｂ）の記載から、次のことが見て取れる。
（ア）インクカートリッジ９０１ＢＫ，インクカートリッジ９０１Ｃ，インクカートリッジ９０１Ｍ及びインクカートリッジ９０１Ｙの各々を収容する、供給ユニットの４つのインクカートリッジ収容部は、インクジェット記録装置の幅方向に並んでおり、いずれも、インク蓋２００７を手前側へ開けることによって外部に開放され、幅方向に長くかつ外部に水平方向に開口する開口部と、前記開口から挿入されることが明らかなインクカートリッジ９０１ＢＫ（Ｃ，Ｍ，Ｙ）の下面を支えている底面と、前記開口から挿入されたインクカートリッジ９０１ＢＫ（Ｃ，Ｍ，Ｙ）の挿入方向前面が突き当たる突き当たり面と、前記開口から挿入されたインクカートリッジ９０１ＢＫ（Ｃ，Ｍ，Ｙ）の上面のうち挿入方向後端部を除いた部分と対面する天井面とを有するフレーム９１３の空間であり、各インクカートリッジ収容部において、天井面を構成するフレーム９１３の外部側先端により前記水平方向に開口する開口部の位置が決まり、底面を構成するフレーム９１３の先端は前記開口部の開口よりも外部側に突き出ていること。
　
（イ）インクカートリッジ９０１ＢＫ、インクカートリッジ９０１Ｃ、インクカートリッジ９０１Ｍ及びインクカートリッジ９０１Ｙは、それぞれ、挿入方向である奥行きの長さ及び挿入方向に直交する幅方向の長さに比較して高さ方向の長さが短い、ほぼ直方体である扁平な形状であり、その平坦な上面の挿入方向後端部の幅方向のほぼ中央に、その幅方向の長さが各インクカートリッジの幅の２分の１ないし３分の１程度であり、その周面が円弧状である部分円柱形状の突起部を具えており、各インクカートリッジがそれぞれのインクカートリッジ収容部の奥まで挿入された状態で、前記突起部は、フレーム９１３のインクカートリッジ収容部の開口部の開口から外部側に突き出ている底面の上に位置していること。
　
　カ　上記アないしオから、引用例１には、
「それぞれインクを貯留するインク袋を格納したインクカートリッジ９０１ＢＫ，インクカートリッジ９０１Ｃ，インクカートリッジ９０１Ｍ及びインクカートリッジ９０１Ｙと、インクを吐出して記録を行う記録ヘッド及び該記録ヘッドに対するインク供給源をなす前記インクカートリッジの各々を収容する４つのインクカートリッジ収容部からなる供給ユニットを具えたインクジェット記録装置との組合せであって、
　前記供給ユニットの４つのインクカートリッジ収容部は、インクジェット記録装置の幅方向に並んでおり、インクカートリッジ９０１ＢＫ，インクカートリッジ９０１Ｃ，インクカートリッジ９０１Ｍ及びインクカートリッジ９０１Ｙの各々を収容するものであり、かつ、内部に収納されるインクカートリッジの装着及び取り外しといった着脱動作を行うことが可能なものであり、
　前記インクカートリッジ収容部は、幅方向に長くかつ外部に水平方向に開口する開口部と、前記開口から挿入される前記インクカートリッジ９０１ＢＫ（Ｃ，Ｍ，Ｙ）の下面を支えている底面と、前記開口から挿入されたインクカートリッジ９０１ＢＫ（Ｃ，Ｍ，Ｙ）の挿入方向前面が突き当たる突き当たり面と、前記開口から挿入されたインクカートリッジ９０１ＢＫ（Ｃ，Ｍ，Ｙ）の上面のうち挿入方向後端部を除いた部分と対面する天井面とを有するフレーム９１３の空間であり、各インクカートリッジ収容部において、天井面を構成するフレーム９１３の外部側先端により前記水平方向に開口する開口部の位置が決まり、底面を構成するフレーム９１３の先端は前記開口部の開口よりも外部側に突き出ており、
　前記インクカートリッジ９０１ＢＫ、インクカートリッジ９０１Ｃ、インクカートリッジ９０１Ｍ及びインクカートリッジ９０１Ｙは、それぞれ、挿入方向である奥行きの長さ及び挿入方向に直交する幅方向の長さに比較して高さ方向の長さが短い、ほぼ直方体である扁平な形状であり、その平坦な上面の挿入方向後端部の幅方向のほぼ中央に、その幅方向の長さが各インクカートリッジの幅の２分の１ないし３分の１程度であり、その周面が円弧状である部分円柱形状の突起部を具えており、各インクカートリッジがそれぞれのインクカートリッジ収容部の奥まで挿入された状態で、前記突起部は、フレーム９１３のインクカートリッジ収容部の開口部の開口から外部側に突き出ている底面の上に位置している、
　インクカートリッジとインクジェット記録装置との組合せ。」の発明（以下「引用発明１」という。）が記載されているものと認められる。
　
（２）当審拒絶理由で引用した「本願の出願前に頒布された刊行物である特開昭６１−２７７４５９号公報（以下「引用例２」という。）」には、図とともに次の事項が記載されている。
　ア　「２．特許請求の範囲
　インク容器の少なくとも一面を形成する可撓性フィルムと、インク充填時の前記可撓性フィルムの形状と同一の形状をしたカバー部材とを有し、該カバー部材を前記可撓性フィルムの外面に密着して設けるとともに、該カバー部材に１個以上の小孔を設けたことを特徴とするインク容器。」（１頁左下欄４〜１０行）
　
　イ　「
技術分野
　本発明は、インクジェット記録装置に用いるインク容器に関する。
　
従来技術
　インクジェット記録装置においては、印字のためのインクを必要とするが、オンデマンド式の
インクジェット記録装置に
カートリッジ式のインク容器
使用
インク容器
可撓性のインク収容袋内にインクを収容しておく
インク収容袋が耐透気性でないため、該インク収容袋内に外気が浸入し、インク内に混入した空気がインクジェットヘッド内に供給されないようにするためのエアートラップを必要とし
　また、特開昭５４−１５１０３３号公報、特開昭５６−４４６６３号公報には
可撓性フィルムに金属層を設けて耐透気性にしたインク容器
薄さに限界があった。また、金属が樹脂フィルムと同じようには変形せず、そのため、深絞り形状が困難であり、浅絞りを行ったとしても可撓性が低下するため、偏平形状とならざるを得す、従って、外形状の大きさのわりにはインク容量が少なく、小型化に向いていない。また、耐透気性可撓性フィルム容器を使用したとしても長期保存での効果は薄い等の問題点があった
　
目的
　本発明は、上述のごとき実情に鑑みてなされたもので、特に、可撓性を損なわずにインク容量を大きくすることができ、また、長期間インクの脱気度を維持することのできるインク容器を提供することを目的としてなされたものである。」（１頁左下欄１２行〜２頁左上欄９行）
　
　ウ　「第１図乃至第３図は、それぞれ本発明によるインク容器の実施例を示す図で、図中、１は樹脂容器、２は樹脂カバー（第１図）、３は金属板カバー（第２図及び第３図）、４は小穴、５は可撓性フィルム、６は弾性体で、図示のように、
樹脂容器１に凸状に成形された可撓性樹脂フィルム５の周辺を接合し、中に脱気インク７が充填
金属板カバー３には１個以上の小孔４が設けてある
　
　エ　「
インク残量が減ってくると、小孔４から空気がカバー２又は３とフィルム５の間に入ってきて可撓性フィルム５は徐々に変形し
一点鎖線のようになればインク残量はゼロとなる
　
　オ　「第４図は、第１図に示したインク容器に溝８を付加した場合の実施例を示す平面図、第５図は、第４図のＶ−Ｖ線断面図で（ａ）図は、第１図に示したインク容器の一部断面図（ｂ）図は第２図に示したインク容器の一部断面図で、（ｂ）図に示した金属カバーの場合には、ビート溝となっている。而して、上述のように溝８を設けると、保存時の可撓性樹脂フィルム５と空気との接触面積は多少増加するが、インク充填時に可撓性樹脂フィルム５と樹脂カバー２又は金属板カバー３との間に空気を取り残すようなことがなくなり、インク充填作業が容易となる。」（２頁左下欄１８行〜同頁右下欄９行）
　
　カ　「
効果
　以上の説明から明らかなように、本発明によると、
（イ）
可撓性樹脂フィルムを使用しているため、深絞り加工が容易で、しかも可撓性をそこなわない。インク容量を大きくできる
（ロ）
フィルムの空気との接触面積を非常に小さくできる（保存時）ため、実効透気度は小さく、インク脱気度を長期間維持できる
（ハ）
耐透気樹脂層をフィルムに設けることにより使用時（期間は短い）のインク脱気度を維持し
等の利点がある。」（２頁右下欄１０行〜３頁左上欄３行）
　
　キ　第２図、第４図及び第５図（ｂ）の記載から、次のことが見て取れる。
　カートリッジ式のインク容器は、樹脂容器１、金属板カバー３、可撓性フィルム５及び弾性体６からなっているインクカートリッジであり、
　前記樹脂容器１は、外形がほぼ正方形の上下面及び高さより幅が長い長方形の４つの側面とからなり、前記樹脂容器上面には滑らかな形状の第１凹部が中央に形成され、該樹脂容器上面の周縁と前記第１凹部との間の領域である第１周縁部は平坦であり、４つの側面のうちの１つの側面である第１側面から前記第１凹部内へ接続しインク容器内のインクを外部に供給するためのものであることが明らかな貫通孔が形成されており、該貫通孔が第１側面で開口する箇所には前記弾性体６が配置されており、
　前記金属板カバー３は、外形がほぼ正方形の金属板の中央に滑らかな形状の第１凸部を形成し、該第１凸部の一断面はほぼ半円の形状であり、該金属板の周縁と前記第１凸部との間の領域である第２周縁部は平坦であり、
　前記可撓性樹脂フィルム５は、外形がほぼ正方形であり、インク容器中に脱気インク７が充填された場合には第１凸部の形状と同じ形状となり、インク残量が減ってきてゼロとなった場合には前記第１凹部の形状と同じ形状になる中央撓み部と、フィルム周縁と前記中央撓み部との間の領域である第３周縁部とからなり、第３周縁部は平坦であり、
　前記第１周縁部及び前記第２周縁部の間に前記第３周縁部を挟んで、前記樹脂容器１、前記可撓性樹脂フィルム５及び前記金属板カバー３が接合されており、前記第１凹部と前記第１凸部とで形成される滑らかな形状の内部空間内に前記中央撓み部が配置され、前記第１凹部と前記中央撓み部とによりにインク容器が形成されており、
　前記インク容器中に脱気インク７が充填され、インク残量が１００％となっている場合に、前記中央撓み部の外面と前記第１凸部の内面とが密着するようになっており、
　中空針を前記弾性体６に貫通させて前記貫通孔内まで侵入させるなどして前記インク容器中の脱気インク７がインクジェット記録装置に供給され、インク残量が減ってくると、前記中央撓み部の内面と前記第１凹部の内面とが密着することで、インク残量がゼロになるまで脱気インク７を使い切ることができるようになっていること。
　
　ク　上記アないしキから、引用例２には、
「インクジェット記録装置に使用するインクカートリッジ（カートリッジ式のインク容器）において、
　従来の可撓性のインク収容袋内にインクを収容しておくインク容器では、インク収容袋が耐透気性でない場合には、該インク収容袋内に外気が浸入し、インク内に混入した空気がインクジェットヘッド内に供給されないようにするためにエアートラップが必要であるという問題点があり、可撓性フィルムに金属層を設けて耐透気性にした場合には、薄さに限界があり、金属が樹脂フィルムと同じようには変形せず、そのため、深絞り形状が困難であり、浅絞りを行ったとしても可撓性が低下するため、偏平形状とならざるを得す、従って、外形状の大きさのわりにはインク容量が少なく、小型化に向いておらず、耐透気性可撓性フィルム容器を使用したとしても長期保存での効果は薄い等の問題点があったので、
　樹脂容器１、金属板カバー３、可撓性フィルム５及び弾性体６によりインクカートリッジを構成し、
　前記樹脂容器１は、外形がほぼ正方形の上下面及び高さより幅が長い長方形の４つの側面とからなり、前記樹脂容器上面には滑らかな形状の第１凹部が中央に形成され、該樹脂容器上面の周縁と前記第１凹部との間の領域である第１周縁部は平坦であり、４つの側面のうちの１つである第１側面から前記第１凹部内へ接続しインク容器内のインクを外部に供給するための貫通孔が形成されており、該貫通孔が第１側面で開口する箇所には前記弾性体６が配置されているものとし、
　前記金属板カバー３は、外形がほぼ正方形の金属板の中央に滑らかな形状の第１凸部を形成し、該第１凸部の一断面はほぼ半円の形状であり、該金属板の周縁と前記第１凸部との間の領域である第２周縁部は平坦であり、１個以上の小孔４が設けてあるものとし、
　前記可撓性樹脂フィルム５は、外形がほぼ正方形のフィルムであり、インク容器中に脱気インク７が充填された場合には第１凸部の形状と同じ形状となり、インク残量が減ってきてゼロとなった場合には前記第２凹部の形状と同じ形状になる中央撓み部と、フィルム周縁と前記中央撓み部との間の領域である第３周縁部とからなり、第３周縁部は平坦なものとし、
　前記第１周縁部及び前記第２周縁部の間に前記第３周縁部を挟んで、前記樹脂容器１、前記可撓性樹脂フィルム５及び前記金属板カバー３を接合し、前記第１凹部と前記第１凸部とで形成される滑らかな形状の内部空間内に前記中央撓み部を配置し、前記第１凹部と前記中央撓み部とによりにインク容器を形成し、該インク容器中に脱気インク７を充填し、インク残量が１００％となった場合に、前記中央撓み部の外面と前記第１凸部の内面とが密着するようになし、中空針を前記弾性体６に貫通させて前記貫通孔内まで侵入させるなどして前記インク容器中の脱気インク７が前記インクジェット記録装置に供給され、インク残量が減ってくると、前記小孔４から空気が前記金属カバー３と前記可撓性樹脂フィルム５との間に入ってきて該可撓性樹脂フィルム５が徐々に変形し、前記中央撓み部の内面と前記第１凹部の内面とが密着して、インク残量がゼロになるまで脱気インク７を使い切ることができるようにすることにより、可撓性樹脂フィルムを使用しているため、深絞り加工が容易で、しかも可撓性をそこなわず、インク容量を大きくでき、フィルムの空気との接触面積を非常に小さくできるため保存時の実効透気度は小さく、インク脱気度を長期間維持できるようにした、
　インクカートリッジ。」の発明（以下「引用発明２」という。）が記載されているものと認められる。
　
４　対比
　本願発明と引用発明１とを対比する。
（１）引用発明１の「インクジェット記録装置」、「インクカートリッジ９０１ＢＫ，インクカートリッジ９０１Ｃ，インクカートリッジ９０１Ｍ及びインクカートリッジ９０１Ｙ」、「供給ユニットの４つのインクカートリッジ収容部」、「開口部」、「記録ヘッド」、「インク」、「天井面」、「底面」、「下面」、「挿入方向後端部」、「平坦な上面」、「平坦な上面の挿入方向後端部」及び「部分円柱形状の突起部」は、それぞれ、本願発明の「記録装置」、「インクカートリッジ」、「インクカートリッジ装着部」、「開口部」、「記録ヘッド」、「インク」、「天井面」、「底面」、「下面」、「後端部」、「上面」、「後端部の上面をなす後部平坦部」及び「リブ」に相当する。
　
（２）引用発明１の「インクカートリッジ」は、「挿入方向である奥行きの長さ及び挿入方向に直交する幅方向の長さに比較して高さ方向の長さが短い、ほぼ直方体である扁平な形状であ」るから、本願発明の「インクカートリッジ」と同じく「前面」を有していることになる。
　
（３）引用発明１において、「インクカートリッジ装着部（インクカートリッジ収容部）」は、「インクカートリッジ」を収容するものであり、かつ、内部に収納される「インクカートリッジ」の装着及び取り外しといった着脱動作を行うことが可能なものであるから、引用発明１の「インクカートリッジ」と本願発明の「インクカートリッジ」とは「記録装置に装着可能な」ものである点で一致し、引用発明１の「インクカートリッジ装着部」と本願発明の「インクカートリッジ」とは「インクカートリッジを着脱可能に装着するための」ものである点で一致する。
　
（４）引用発明１における、フレーム９１３の空間である「インクカートリッジ装着部（インクカートリッジ収容部）」が有する「開口部」は、「外部に水平方向に開口する」ものであるから、本願発明における、インクカートリッジ装着部が有する「開口部」と、「外部に水平方向に開口する」ものである点で一致する。
　
（５）引用発明１において、「インクカートリッジ」は、「記録ヘッドに対するインク供給源をなす」ものであり、「インクカートリッジ装着部（インクカートリッジ収容部）」に「装着及び取り外しといった着脱動作」を行うことが可能なものであるから、「インクカートリッジ」が「インク供給口」を、「インクカートリッジ装着部」が「接続部」を、それぞれ有し、「インクカートリッジ」の「インク供給口」と「インクカートリッジ装着部」の「接続部」とを接続して「記録ヘッド」に「インク」を供給するようになっていることが当業者に自明である。
　したがって、引用発明１の「インクカートリッジ」及び「インクカートリッジ装着部」と、本願発明の「インクカートリッジ」及び「インクカートリッジ装着部」とは、それぞれ、「インク供給口」を有する点及び「インクカートリッジのインク供給口と接続して記録ヘッドにインクを供給する接続部を有」する点で一致する。
　
（６）引用発明１の「インクカートリッジ装着部（インクカートリッジ収容部）」は、「幅方向に長くかつ外部に水平方向に開口する開口部と、前記開口から挿入される前記インクカートリッジ９０１ＢＫ（Ｃ，Ｍ，Ｙ）の下面を支えている底面と、前記開口から挿入されたインクカートリッジ９０１ＢＫ（Ｃ，Ｍ，Ｙ）の挿入方向前面が突き当たる突き当たり面と、前記開口から挿入されたインクカートリッジ９０１ＢＫ（Ｃ，Ｍ，Ｙ）の上面のうち挿入方向後端部を除いた部分と対面する天井面とを有するフレーム９１３の空間であり、各インクカートリッジ収容部において、天井面を構成するフレーム９１３の外部側先端により前記水平方向に開口する開口部の位置が決まり、底面を構成するフレーム９１３の先端は前記開口部の開口よりも外部側に突き出て」いるから、引用発明１の「底面」と本願発明の「水平方向に延び前記天井面よりも、前記接続部とは反対側に延びる底面」とは「水平方向に延び前記天井面よりも、前記外部側に延びる」点で一致し、引用発明１の「インクカートリッジ装着部」と本願発明の「インクカートリッジ装着部」とは、「天井面を有し、前記天井面が前記開口部を規定」する点及び「水平方向に延び前記天井面よりも、前記外部側に延びる底面を有」する点で一致する。
　
（７）引用発明１において、「供給ユニットの４つのインクカートリッジ収容部は、インクジェット記録装置の幅方向に並んで」いるから、引用発明１の「記録装置（インクジェット記録装置）」と本願発明の「記録装置」とは「前記インクカートリッジ装着部を複数個前記底面に沿って幅方向に備え」ている点で一致するといえる。
　
（８）本願発明において、「前記インクカートリッジは、前記インクカートリッジ装着部に装着される際、前記底面に沿って、前記開口部側から前記インク供給口を前記接続部に接続させる方向に滑らせることが可能な下面を有」し、該接続部は「前記開口部と水平方向に対向する位置」にあることから、本願発明では、「インクカートリッジ装着部」の「開口部」側から「インクカートリッジ」の「インク供給口」を有する前面を「インクカートリッジ装着部」の「開口部」と水平方向に対向する方向に、「インクカートリッジ」の「下面」を「インクカートリッジ装着部」の「底面」に沿って滑らせて、「インクカートリッジ」を「インクカートリッジ装着部」に装着するようになっていることが当業者に自明である。
　一方、引用発明１では、「インクカートリッジ装着部（インクカートリッジ収容部）」は、内部に収納されるインクカートリッジの装着及び取り外しといった着脱動作を行うことが可能なものであり、その開口から挿入される前記インクカートリッジの下面を支えている底面と、前記開口から挿入されたインクカートリッジの挿入方向前面が突き当たる突き当たり面と、前記開口から挿入されたインクカートリッジの上面のうち挿入方向後端部を除いた部分と対面する天井面とを有しているものであり、「インクカートリッジ」は、「挿入方向である奥行きの長さ及び挿入方向に直交する幅方向の長さに比較して高さ方向の長さが短い、ほぼ直方体である扁平な形状であり、その平坦な上面の挿入方向後端部の幅方向のほぼ中央に、その幅方向の長さが各インクカートリッジの幅の２分の１ないし３分の１程度であり、その周面が円弧状である部分円柱形状の突起部を具えており、各インクカートリッジがそれぞれのインクカートリッジ収容部の奥まで挿入された状態で、前記突起部は、フレーム９１３のインクカートリッジ収容部の開口部の開口から外部側に突き出ている底面の上に位置している」ものであり、しかも、「前記インク供給口を前記接続部に接続させ」（上記（５）参照。）る際には、前記インクカートリッジを前記インクカートリッジ装着部に装着させなければならないことが当業者に自明である。
　そうすると、引用発明１の「記録装置と記録装置に装着可能なインクカートリッジとの組み合わせ」と本願発明「記録装置と記録装置に装着可能なインクカートリッジとの組み合わせ」とは、「開口部側からインクカートリッジの前面をインクカートリッジ装着部の開口部と水平方向に対向する方向に、インクカートリッジの下面をインクカートリッジ装着部の底面に沿って滑らせて、インクカートリッジをインクカートリッジ装着部に装着するようになっている」点で一致する。
　したがって、引用発明１の「インクカートリッジ装着部」と本願発明の「インクカートリッジ装着部」とは、「前記インクカートリッジは、前記インクカートリッジ装着部に装着される際、前記底面に沿って、前記開口部側から前記開口部と水平方向に対向する方向に滑らせることが可能な下面を有」する点で一致し、引用発明１の「インクカートリッジ」と本願発明の「インクカートリッジ」とは、「前面有し、該前面と反対側に後端部を有し、前記下面と反対側に、前記後端部の上面をなす後部平坦部を有する上面を有し、その幅方向が前記インクカートリッジ装着部の幅方向に一致するように、前記インクカートリッジ装着部に装着され、前記インクカートリッジが前記インクカートリッジ装着部に装着され前記インク供給口を前記接続部に接続させた際、その後端部が前記開口部から出ている底面上に位置するように構成されており、前記後部平坦部に上方に突出したリブが形成されており、前記リブは、前記後部平坦部の幅方向における中央に形成されており、前記リブは、前記後部平坦部上に形成されて」いる点で一致する。
　
（９）上記（１）ないし（８）からみて、本願発明と引用発明１とは、
「記録装置と記録装置に装着可能なインクカートリッジとの組み合わせであって、
　前記記録装置は、前記インクカートリッジを着脱可能に装着するためのインクカートリッジ装着部を備え、
　前記インクカートリッジ装着部は、
　外部に水平方向に開口する開口部を有し、
　前記インクカートリッジ装着部は、さらに、インクカートリッジのインク供給口と接続して記録ヘッドにインクを供給する接続部を有し、
　前記インクカートリッジ装着部は、天井面を有し、前記天井面が前記開口部を規定し、
　前記インクカートリッジ装着部は、水平方向に延び前記天井面よりも、前記外部側に延びる底面を有し、
　前記記録装置は、前記インクカートリッジ装着部を複数個前記底面に沿って幅方向に備え、　
　前記インクカートリッジは、前記インクカートリッジ装着部に装着される際、前記底面に沿って、前記開口部側から前記開口部と水平方向に対向する方向に滑らせることが可能な下面を有し、
　前記インクカートリッジは、前面を有し、
　前記インクカートリッジは、該前面と反対側に後端部を有し、
　前記インクカートリッジは、前記下面と反対側に上面を有し、前記上面は、前記後端部の上面をなす後部平坦部を有し、　
　前記インクカートリッジは、その幅方向が前記インクカートリッジ装着部の幅方向に一致するように、前記インクカートリッジ装着部に装着され、　
　前記インクカートリッジは、前記インクカートリッジが前記インクカートリッジ装着部に装着され前記インク供給口を前記接続部に接続させた際、その後端部が前記開口部から出ている底面上に位置するように構成されており、
　前記後部平坦部に、上方に突出したリブが形成されており、
　前記リブは、前記インクカートリッジの前記後部平坦部の幅方向における中央に形成されており、
　前記リブは、前記後部平坦部上に形成されている、
　記録装置と記録装置に装着可能なインクカートリッジとの組み合わせ。」の点で一致し、次の点で相違する。
　
相違点１：
　本願発明では、前記接続部が「前記開口部と水平方向に対向する位置に」あり、前記外部側が「前記接続部とは反対側」であり、前記前面が「前記インク供給口を有し」、前記インクカートリッジを前記インクカートリッジ装着部に装着される際に滑らせる方向が「前記開口部側から前記インク供給口を前記接続部に接続させる方向」であるのに対して、引用発明１では、前記「インク供給口」がインクカートリッジのどの面にあり、前記「接続部」がインクカートリッジ装着部のどの位置にあるのかが明確でない点。
　
相違点２：
　本願発明では、前記上面が「前記下面から離隔する方向に略球面状に湾曲した略球面状湾曲部」を有し、「前記略球面状湾曲部は前記後部平坦部よりも上方に突出しており、前記略球面状湾曲部は、前記上面において、前記後部平坦部よりも前記前面側に位置しており、前記略球面状湾曲部のうち、前記インクカートリッジの前記前面と前記後端部とを結ぶ方向における後端が、前記インクカートリッジの幅方向の中央において、前記後部平坦部と接して」おり、前記リブが前記後部平坦部上に形成される位置が、前記後部平坦部が「前記略球面状湾曲部の前記後端と接する」位置であり、前記インクカートリッジの幅方向の断面において、前記リブが、「前記略球面状湾曲部の輪郭内に収まっている」のに対して、引用発明１では、前記上面がそのような「略球面状湾曲部」を有していない点。
　
相違点３：
　前記リブが、本願発明では「指掛け用の」ものであって、「前記後端部よりも前記前面側に位置して」いるのに対して、引用発明１では指掛け用のものかどうか不明であり、そのようには位置していない点。
　
相違点４：
　前記後端部が、本願発明では「つまみ部を構成するため前記前面の幅よりも狭い幅に形成されて」いるのに対して、引用発明１ではそのようになっていない点。
　
５　判断
　上記相違点１ないし４について検討する。
（１）相違点１及び２について
　ア　引用例２には、上記３（２）で述べたとおりの引用発明２が記載されている（上記３（２）ク参照。）。
　
　イ　引用発明１の「インクカートリッジ」は、「インクを貯留するインク袋を格納した」ものであり、かつ、「挿入方向である奥行きの長さ及び挿入方向に直交する幅方向の長さに比較して高さ方向の長さが短い、ほぼ直方体である扁平な形状であり、その平坦な上面の挿入方向後端部の幅方向のほぼ中央に、その幅方向の長さが各インクカートリッジの幅の２分の１ないし３分の１程度であり、その周面が円弧状である部分円柱形状の突起部を具えており、各インクカートリッジがそれぞれのインクカートリッジ収容部の奥まで挿入された状態で、前記突起部は、フレーム９１３のインクカートリッジ収容部の開口部の開口から外部側に突き出ている底面の上に位置している」ものであるところ、引用発明１の「インクカートリッジ」において、前記「インク袋」として、耐透気性でない従来の可撓性のインク収容袋を使った場合には、該インク収容袋内に外気が浸入し、インク内に混入した空気がインクジェットヘッド内に供給されないようにするためにエアートラップが必要であるという問題点があり、前記「インク袋」として、可撓性フィルムに金属層を設けて耐透気性にした従来の可撓性のインク収容袋を使った場合には、薄さに限界があり、金属が樹脂フィルムと同じようには変形せず、そのため、深絞り形状が困難であり、浅絞りを行ったとしても可撓性が低下するため、偏平形状とならざるを得す、従って、外形状の大きさのわりにはインク容量が少なく、小型化に向いておらず、耐透気性可撓性フィルム容器を使用したとしても長期保存での効果は薄い等の問題点があるので、「樹脂容器、金属板カバー、可撓性フィルム及び弾性体」により構成し、前記樹脂容器は、「外形がほぼ正方形の上下面及び高さより幅が長い長方形の４つの側面とからなり、前記樹脂容器上面には滑らかな形状の第１凹部が中央に形成され、該樹脂容器上面の周縁と前記第１凹部との間の領域である第１周縁部は平坦であり、４つの側面のうちの１つである第１側面から前記第１凹部内へ接続しインク容器内のインクを外部に供給するための貫通孔が形成されており、該貫通孔が第１側面で開口する箇所には前記弾性体が配置されているもの」とし、前記金属板カバーは、「外形がほぼ正方形の金属板の中央に滑らかな形状の第１凸部を形成し、該第１凸部の一断面はほぼ半円の形状であり、該金属板の周縁と前記第１凸部との間の領域である第２周縁部は平坦であり、１個以上の小孔が設けてあるもの」とし、前記第２周縁部のうち前記第１側面に対向する第２側面側の領域に前記「リブ」を形成し、前記第１凸部が前記「リブ」が形成される位置に接するようにし、前記第１凸部の大きさが、インクカートリッジの幅方向について前記「リブ」の長さよりも長くなるものとし、前記可撓性樹脂フィルムは、「外形がほぼ正方形のフィルムであり、インク容器中に脱気インクが充填された場合には第１凸部の形状と同じ形状となり、インク残量が減ってきてゼロとなった場合には前記第２凹部の形状と同じ形状になる中央撓み部と、フィルム周縁と前記中央撓み部との間の領域である第３周縁部とからなり、第３周縁部は平坦なもの」とし、前記「接続部」を前記弾性体に貫通させて前記貫通孔内まで侵入させる中空針を備えたものとして「前記開口部と水平方向に対向する位置に」設け、前記「インクカートリッジ」を前記「インクカートリッジ装着部」に装着される際に滑らせる方向を、前記「開口部」側から、インク容器内のインクを外部に供給するための貫通孔が開口する第１側面を前記「接続部」に接続させる方向とし、「前記第１周縁部及び前記第２周縁部の間に前記第３周縁部を挟んで、前記樹脂容器、前記可撓性樹脂フィルム及び前記金属板カバーを接合し、前記第１凹部と前記第１凸部とで形成される滑らかな形状の内部空間内に前記中央撓み部を配置し、前記第１凹部と前記中央撓み部とによりにインク容器を形成し、該インク容器中に脱気インクを充填し、インク残量が１００％となった場合に、前記中央撓み部の外面と前記第１凸部の内面とが密着する」ようになし、前記「接続部」に設けた中空針を「前記弾性体に貫通させて前記貫通孔内まで侵入させて前記インク容器中の脱気インクが前記インクジェット記録装置に供給し、インク残量が減ってくると、前記小孔から空気が前記金属カバーと前記可撓性樹脂フィルムとの間に入ってきて該可撓性樹脂フィルムが徐々に変形し、前記中央撓み部の内面と前記第１凹部の内面とが密着して、インク残量がゼロになるまで脱気インクを使い切る」ことができるようにすることにより、「可撓性樹脂フィルムを使用しているため、深絞り加工が容易で、しかも可撓性をそこなわず、インク容量を大きくでき、フィルムの空気との接触面積を非常に小さくできるため保存時の実効透気度は小さく、インク脱気度を長期間維持できるように」することは、当業者が引用発明２に基づいて容易に想到することができた程度のことである。
　
　ウ　上記イにおいて、「一断面はほぼ半円の形状である滑らかな形状の第１凸部」及び「貫通孔が第１側面で開口する箇所に配置された弾性体」は、それぞれ、本願発明の「前記下面から離隔する方向に略球面状に湾曲した略球面状湾曲部」及び「インク供給口」に相当するといえるから、上記イのようにした引用発明１の「インクカートリッジ」は、前記接続部が「前記開口部と水平方向に対向する位置に」あり、前記外部側が「前記接続部とは反対側」であり、前記前面が「前記インク供給口を有し」、前記インクカートリッジを前記インクカートリッジ装着部に装着される際に滑らせる方向が「前記開口部側から前記インク供給口を前記接続部に接続させる方向」であり、前記上面が「前記下面から離隔する方向に略球面状に湾曲した略球面状湾曲部」を有し、「前記略球面状湾曲部は前記後部平坦部よりも上方に突出しており、前記略球面状湾曲部は、前記上面において、前記後部平坦部よりも前記前面側に位置しており、前記略球面状湾曲部のうち、前記インクカートリッジの前記前面と前記後端部とを結ぶ方向における後端が、前記インクカートリッジの幅方向の中央において、前記後部平坦部と接して」おり、前記リブが前記後部平坦部上に形成される位置が、前記後部平坦部が「前記略球面状湾曲部の前記後端と接する」位置であり、前記インクカートリッジの幅方向の断面において、前記リブが、「前記略球面状湾曲部の輪郭内に収まっている」ものといえる。
　
　エ　上記アないしウからして、引用発明１において、上記相違点１及び２に係る本願発明の構成となすことは、当業者が引用発明２に基づいて容易になし得た程度のことである。
　
（２）相違点３について
　ア　引用発明１の「インクカートリッジ」を上記（１）イのようになしたものにおいても、前記「リブ（部分円柱形状の突起部）」は、「開口部の開口から外部側に突き出ている底面の上に位置している」から、上記（１）イのようになした引用発明１において、前記「インクカートリッジ装着部」に装着された「インクカートリッジ」を取り出す際に、該「リブ」に指を掛けて「インクカートリッジ」を引き出すようになすことは、当業者が適宜なし得た程度のことである。
　
　イ　（ア）本願明細書の発明の詳細な説明には次の記載がある。
　ａ　「【００６８】
　上記目的を達成するために、本発明は、記録装置と記録装置に装着可能なインクカートリッジとの組み合わせであって、前記記録装置は、前記インクカートリッジを着脱可能に装着するためのインクカートリッジ装着部を備え、前記インクカートリッジ装着部は、外部に水平方向に開口する開口部を有し、前記インクカートリッジ装着部は、さらに、前記開口部と水平方向に対向する位置に、インクカートリッジのインク供給口と接続して記録ヘッドにインクを供給する接続部を有し、前記インクカートリッジ装着部は、天井面を有し、前記天井面が前記開口部を規定し、前記インクカートリッジ装着部は、水平方向に延び前記天井面よりも、前記接続部とは反対側に延びる底面を有し、前記記録装置は、前記インクカートリッジ装着部を複数個前記底面に沿って幅方向に備え、前記インクカートリッジは、前記インクカートリッジ装着部に装着される際、前記底面に沿って、前記開口部側から前記インク供給口を前記接続部に接続させる方向に滑らせることが可能な下面を有し、前記インクカートリッジは、前記インク供給口を有する前面を有し、前記インクカートリッジは、該前面と反対側に後端部を有し、前記インクカートリッジは、前記下面と反対側に上面を有し、前記上面は、前記下面から離隔する方向に略球面状に湾曲した略球面状湾曲部と、前記後端部の上面をなす後部平坦部とを有し、前記略球面状湾曲部は前記後部平坦部よりも上方に突出しており、前記略球面状湾曲部は、前記上面において、前記後部平坦部よりも前記前面側に位置しており、前記略球面状湾曲部のうち、前記インクカートリッジの前記前面と前記後端部とを結ぶ方向における後端が、前記インクカートリッジの幅方向の中央において、前記後部平坦部と接しており、前記インクカートリッジは、その幅方向が前記インクカートリッジ装着部の幅方向に一致するように、前記インクカートリッジ装着部に装着され、前記インクカートリッジは、前記インクカートリッジが前記インクカートリッジ装着部に装着され前記インク供給口を前記接続部に接続させた際、その後端部が前記開口部から出ている底面上に位置するように構成されており、前記後部平坦部に、上方に突出した指掛け用のリブが形成されており、前記指掛け用のリブは、前記インクカートリッジの前記後部平坦部の幅方向における中央に形成されており、前記指掛け用のリブは、前記後部平坦部が前記略球面状湾曲部の前記後端と接する位置上に形成されており、前記インクカートリッジの幅方向の断面において、前記略球面状湾曲部の輪郭内に前記指掛け用のリブが収まっており、前記後端部は、つまみ部を構成するため前記前面の幅よりも狭い幅に形成されており、
前記リブは前記後端部よりも前記前面側に位置している
【００６９】
　
インクカートリッジを装着する際、指掛け用のリブを押し、カートリッジの下面を底面に滑らせてカートリッジのインク供給口を接続部に確実に接続することができ
インクカートリッジを取り外す際、指掛け用のリブを引き、カートリッジの下面を底面に滑らせて取り外すことができ
　ここで、前記記録装置は、前記インクカートリッジ装着部を複数個前記底面に沿って幅方向に備え、前記インクカートリッジは、その幅方向が前記インクカートリッジ装着部の幅方向に一致するように、前記インクカートリッジ装着部に装着され、前記指掛け用のリブは、前記インクカートリッジの前記後端部の上面において、その幅方向における中央に形成されていることが好ましい。
インクカートリッジを装着する際、指掛け用のリブを押し、カートリッジの下面を底面に滑らせてカートリッジのインク供給口を接続部に確実に接続することができ
インクカートリッジを取り外す際、指掛け用のリブを引き、カートリッジの下面を底面に滑らせて取り外すことができる
　
　ｂ　「【０１１５】
  なお、インクカートリッジ２００は、カバー部４４の奥行き方向の長さよりも十分長くつくられており、装着部Ｓへの装着状態において後端部分がカバー部４４から突出する。そのインクカートリッジ２００の後端部は、幅が狭められており、つまみ部２０２となっている。かかるつまみ部２０２によれば、図６のように複数個のインクカートリッジ２００がインクカートリッジ収納部Ｐに収納されている時に、所望の１個をつまんでとりやすいようになっている。逆に、隣接するインクカートリッジ収納部Ｐにインクカートリッジ２００が収納されているときにもつまんで装着しやすいようになっている。また、蓋２１０の後端付近には、幅方向に直線状に延びるリブ２１７が形成されている。したがって、この
リブ２１７に指をかけてカートリッジ２００を手前に引くことで、インクカートリッジ収納部Ｐからインクカートリッジ２００を１本指で取り出すこともできる
　
（イ）本願発明の「指掛け用のリブ」は、前記後端部よりも前記前面側に位置しているが、上記（ア）のａ及びｂの記載からみて、本願発明の「指掛け用のリブ」を形成する位置は、インクカートリッジを装着する際、「指掛け用のリブ」を押し、インクカートリッジの下面を底面に滑らせてインクカートリッジのインク供給口を接続部に確実に接続することができ、インクカートリッジを取り外す際、「指掛け用のリブ」に指をかけて「指掛け用のリブ」を引き、インクカートリッジを手前に引くことで、インクカートリッジの下面を底面に滑らせて「インクカートリッジ装着部」からインクカートリッジを１本指で取り外すことができる位置であればよいことが把握できる。
　
（ウ）他方、引用発明１の「リブ（部分円柱形状の突起部）」は、各インクカートリッジがそれぞれのインクカートリッジ収容部の奥まで挿入された状態で、フレーム９１３のインクカートリッジ収容部の開口部の開口から外部側に突き出ている底面の上に位置しているから、引用例１の第１図を参照すれば明らかなように、引用発明１の「リブ（部分円柱形状の突起部）」は、前記後端部の、前記開口部から出ている上面であって、インクカートリッジを装着する際、「リブ（部分円柱形状の突起部）」を押し、インクカートリッジの下面を底面に滑らせてインクカートリッジのインク供給口を接続部に確実に接続することができ、インクカートリッジを取り外す際、「リブ（部分円柱形状の突起部）」に指をかけて「リブ（部分円柱形状の突起部）」を引き、インクカートリッジを手前に引くことで、インクカートリッジの下面を底面に滑らせて「インクカートリッジ装着部（インクカートリッジ収容部）」からインクカートリッジを１本指で取り外すことができる位置に形成されているものと解される。
　
（エ）してみると、本願発明の「前記リブは前記後端部よりも前記前面側に位置している」との技術事項には、引用発明の「リブ（部分円柱形状の突起部）」と対比して、発明を実施する際に当業者が適宜決定すべき設計上の事項を超える技術上の意義があるものではない。
　したがって、本願発明の「前記リブは前記後端部よりも前記前面側に位置している」点は、当業者が適宜なし得た設計上の事項である。
　
　ウ　上記ア及びイからみて、引用発明１において、上記相違点３に係る本願発明の構成となすことは、当業者が引用発明２に基づいて適宜なし得た程度のことである。
　
（３）相違点４について
　ア　挿入方向に関する後端部の幅が前面を構成する前端部から後端部に至る部分の幅よりも狭くなっているインクカートリッジは、本願の出願前に周知である（以下「周知技術」という。例．特開平１−１４１７５０号公報（第１図及び第４図参照。）、特開平９−１５０５２４号公報（図８参照。）、実願平３−４１０９５号（実開平４−１３５３４３号）のマイクロフィルム（図１、図２及び図６参照。）、特開平３−１８４８７３号公報（第１図〜第３図、第５図〜第７図参照。））。
　
　イ　引用発明において、前記インクカートリッジの前記後端部を前記前面の幅よりも狭い幅に形成し、狭い幅になっている後端部を使用者がつまむことができるものとなすこと、すなわち、引用発明において、上記相違点４に係る本願発明の構成となすことは、当業者が周知技術に基づいて容易になし得た程度のことである。
　
（４）本願発明の奏する効果は、当業者が、引用発明１の奏する効果、引用発明２の奏する効果及び周知技術の奏する効果から予測できた程度のものである。
　
（５）まとめ
　以上のとおりであるから、本願発明は、当業者が引用例１に記載された発明、引用例２に記載された発明及び周知技術に基づいて容易に発明をすることができたものである。
　
６　むすび
　本願発明は、上記５のとおり、当業者が引用例１に記載された発明、引用例２に記載された発明及び周知技術に基づいて容易に発明をすることができたものであるから、特許法第２９条第２項の規定により特許を受けることができない。
　よって、結論のとおり審決する。